【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
外部装置に映像データを送信する送信手段と、
ＣＥＣ（Ｃｏｎｓｕｍｅｒ  Ｅｌｅｃｔｒｏｎｉｃｓ  Ｃｏｎｔｒｏｌ）プロトコルに応じて、前記外部装置からコマンドを受信する受信手段と、
前記映像データの送信に関する第１のエラーが検出されない場合で、かつ、前記コマンドに関する第２のエラーが検出される場合に、前記送信手段がリセットされることなく前記受信手段をリセットさせる制御手段とを有し、
前記ＣＥＣプロトコルに応じて、論理アドレスが取得されていない場合、前記第２のエラーは検出されないことを特徴とする通信装置。
【請求項２】
前記第２のエラーが検出されない場合で、かつ、前記第１のエラーが検出される場合に、前記制御手段は、前記受信手段がリセットされることなく前記送信手段をリセットさせることを特徴とする請求項１に記載の通信装置。
【請求項３】
前記送信手段は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に応じて、前記映像データを前記外部装置に送信することを特徴とする請求項１また２に記載の通信装置。
【請求項４】
前記論理アドレスが取得されない場合、前記受信手段は、前記外部装置からコマンドを受信しないことを特徴とする請求項１から３のいずれか１項に記載の通信装置。
【請求項５】
前記第２のエラーを検出する検出手段を有し、
前記論理アドレスが取得されない場合、前記検出手段は、前記第２のエラーを検出しないことを特徴とする請求項１から４のいずれか１項に記載の通信装置。
【請求項６】
外部装置に音声データを送信する送信手段と、
ＣＥＣ（Ｃｏｎｓｕｍｅｒ  Ｅｌｅｃｔｒｏｎｉｃｓ  Ｃｏｎｔｒｏｌ）プロトコルに応じて、前記外部装置からコマンドを受信する受信手段と、
前記音声データの送信に関する第１のエラーが検出されない場合で、かつ、前記コマンドに関する第２のエラーが検出される場合に、前記送信手段がリセットされることなく前記受信手段をリセットさせる制御手段とを有し、
前記ＣＥＣプロトコルに応じて、論理アドレスが取得されていない場合、前記第２のエラーは検出されないことを特徴とする通信装置。
【請求項７】
前記第２のエラーが検出されない場合で、かつ、前記第１のエラーが検出される場合に、前記制御手段は、前記受信手段がリセットされることなく前記送信手段をリセットさせることを特徴とする請求項６に記載の通信装置。
【請求項８】
前記送信手段は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に応じて、前記音声データを前記外部装置に送信することを特徴とする請求項６また７に記載の通信装置。
【請求項９】
前記論理アドレスが取得されない場合、前記受信手段は、前記外部装置からコマンドを受信しないことを特徴とする請求項６から８のいずれか１項に記載の通信装置。
【請求項１０】
前記第２のエラーを検出する検出手段を有し、
前記論理アドレスが取得されない場合、前記検出手段は、前記第２のエラーを検出しないことを特徴とする請求項６から９のいずれか１項に記載の通信装置。
【請求項１１】
外部装置に映像データを送信する第１の送信手段と、
ＣＥＣ（Ｃｏｎｓｕｍｅｒ  Ｅｌｅｃｔｒｏｎｉｃｓ  Ｃｏｎｔｒｏｌ）プロトコルに応じて、前記外部装置にコマンドを送信する第２の送信手段と、
前記映像データの送信に関する第１のエラーが検出されない場合で、かつ、前記コマンドに関する第２のエラーが検出される場合に、前記第１の送信手段がリセットされることなく前記第２の送信手段をリセットさせる制御手段とを有し、
前記ＣＥＣプロトコルに応じて、論理アドレスが取得されない場合、前記第２のエラーは検出されないことを特徴とする通信装置。
【請求項１２】
前記第２のエラーが検出されない場合で、かつ、前記第１のエラーが検出される場合に、前記制御手段は、前記第２の送信手段がリセットされることなく前記第１の送信手段をリセットさせることを特徴とする請求項１１に記載の通信装置。
【請求項１３】
前記第１の送信手段は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に応じて、前記映像データを前記外部装置に送信することを特徴とする請求項１１また１２に記載の通信装置。
【請求項１４】
前記論理アドレスが取得されない場合、前記第２の送信手段は、前記外部装置にコマンドを送信しないことを特徴とする請求項１１から１３のいずれか１項に記載の通信装置。
【請求項１５】
前記第２の通信エラーを検出する検出手段を有し、
前記論理アドレスが取得されていない場合、前記検出手段は、前記第２のエラーを検出しないことを特徴とする請求項１１から１４のいずれか１項に記載の通信装置。
【請求項１６】
外部装置に音声データを送信する第１の送信手段と、
ＣＥＣ（Ｃｏｎｓｕｍｅｒ  Ｅｌｅｃｔｒｏｎｉｃｓ  Ｃｏｎｔｒｏｌ）プロトコルに応じて、前記外部装置にコマンドを送信する第２の送信手段と、
前記音声データの送信に関する第１のエラーが検出されない場合で、かつ、前記コマンドに関する第２のエラーが検出される場合に、前記第１の送信手段がリセットされることなく前記第２の送信手段をリセットさせる制御手段とを有し、
前記ＣＥＣプロトコルに応じて、論理アドレスが取得されない場合、前記第２のエラーは検出されないことを特徴とする通信装置。
【請求項１７】
前記第２のエラーが検出されない場合で、かつ、前記第１のエラーが検出される場合に、前記制御手段は、前記第２の送信手段がリセットされることなく前記第１の送信手段をリセットさせることを特徴とする請求項１６に記載の通信装置。
【請求項１８】
前記第１の送信手段は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に応じて、前記音声データを前記外部装置に送信することを特徴とする請求項１６また１７に記載の通信装置。
【請求項１９】
前記論理アドレスが取得されない場合、前記第２の送信手段は、前記外部装置にコマンドを送信しないことを特徴とする請求項１６から１８のいずれか１項に記載の通信装置。
【請求項２０】
前記第２のエラーを検出する検出手段を有し、
前記論理アドレスが取得されない場合、前記検出手段は、前記第２のエラーを検出しないことを特徴とする請求項１６から１９のいずれか１項に記載の通信装置。
【手続補正２】
【補正対象書類名】明細書
【補正対象項目名】０００１
【補正方法】変更
【補正の内容】
【０００１】
本発明は、外部装置にデータを送信する通信装置に関する。
【手続補正３】
【補正対象書類名】明細書
【補正対象項目名】０００７
【補正方法】変更
【補正の内容】
【０００７】
本発明は、データの送信を中断させることなく、エラー状態から正常な状態に復帰させることができるようにすることを目的とする。
【手続補正４】
【補正対象書類名】明細書
【補正対象項目名】０００８
【補正方法】変更
【補正の内容】
【０００８】
本発明に係る通信装置は、外部装置に映像データを送信する送信手段と、ＣＥＣ（Ｃｏｎｓｕｍｅｒ  Ｅｌｅｃｔｒｏｎｉｃｓ  Ｃｏｎｔｒｏｌ）プロトコルに応じて、前記外部装置からコマンドを受信する受信手段と、前記映像データの送信に関する第１のエラーが検出されない場合で、かつ、前記コマンドに関する第２のエラーが検出される場合に、前記送信手段がリセットされることなく前記受信手段をリセットさせる制御手段とを有し、前記ＣＥＣプロトコルに応じて、論理アドレスが取得されていない場合、前記第２のエラーは検出されないことを特徴とする。
また、本発明に係る通信装置は、外部装置に音声データを送信する送信手段と、ＣＥＣ（Ｃｏｎｓｕｍｅｒ  Ｅｌｅｃｔｒｏｎｉｃｓ  Ｃｏｎｔｒｏｌ）プロトコルに応じて、前記外部装置からコマンドを受信する受信手段と、前記音声データの送信に関する第１のエラーが検出されない場合で、かつ、前記コマンドに関する第２のエラーが検出される場合に、前記送信手段がリセットされることなく前記受信手段をリセットさせる制御手段とを有し、前記ＣＥＣプロトコルに応じて、論理アドレスが取得されていない場合、前記第２のエラーは検出されないことを特徴とする。
また、本発明に係る通信装置は、外部装置に映像データを送信する第１の送信手段と、
ＣＥＣ（Ｃｏｎｓｕｍｅｒ  Ｅｌｅｃｔｒｏｎｉｃｓ  Ｃｏｎｔｒｏｌ）プロトコルに応じて、前記外部装置にコマンドを送信する第２の送信手段と、前記映像データの送信に関する第１のエラーが検出されない場合で、かつ、前記コマンドに関する第２のエラーが検出される場合に、前記第１の送信手段がリセットされることなく前記第２の送信手段をリセットさせる制御手段とを有し、前記ＣＥＣプロトコルに応じて、論理アドレスが取得されない場合、前記第２のエラーは検出されないことを特徴とする。
また、本発明に係る通信装置は、外部装置に音声データを送信する第１の送信手段と、ＣＥＣ（Ｃｏｎｓｕｍｅｒ  Ｅｌｅｃｔｒｏｎｉｃｓ  Ｃｏｎｔｒｏｌ）プロトコルに応じて、前記外部装置にコマンドを送信する第２の送信手段と、前記音声データの送信に関する第１のエラーが検出されない場合で、かつ、前記コマンドに関する第２のエラーが検出される場合に、前記第１の送信手段がリセットされることなく前記第２の送信手段をリセットさせる制御手段とを有し、前記ＣＥＣプロトコルに応じて、論理アドレスが取得されない場合、前記第２のエラーは検出されないことを特徴とする。
【手続補正５】
【補正対象書類名】明細書
【補正対象項目名】０００９
【補正方法】変更
【補正の内容】
【０００９】
本発明によれば、データの送信を中断させることなく、エラー状態から正常な状態に復帰させることができる。